(57)【要約】      （修正有）【課題】中央に加熱調理器が埋設可能な甲板を有し、洋室、和室、利用人数などの様々な利用条件に応じて柔軟に洋卓から座卓、または座卓から洋卓へと安全且つ簡単に変形可能な新たな食卓を提供する。【解決手段】表面１０に電磁調理器Ｈ用収容室１２を開口し、同裏面１１に矩形環状の幕板枠３を垂下した平板体１を設け、２本の長脚柱５０，５０と横架板５２とからなる一対の洋卓用Ｈ型脚５，５を、ヌキ板６と落し込み摺桟７，７とによって連結した洋卓組脚４、および、２本の短脚柱と横架板９２とからなる一対の座卓用Ｈ型脚９，９を前記洋卓組脚４から分解したヌキ板６によって連結した座卓組脚を設けた上、当該平板体１幕板枠３四隅に、前記洋卓組脚４か、座卓組脚かの何れか一方のＨ型脚５，５（９，９）上木口夫々が嵌合、組み合わせ可能としてなる洋座兼用食卓である。【選択図】図１
0003142912.tif 000002
【実用新案登録請求の範囲】
【請求項１】
平板体の表面中央を開口し、電磁調理器落し込み設置用であり、同開口箇所を隠蔽可能とする落し蓋が着脱自在に装着された収容室を設け、同平板体の裏面外周縁辺りに、同収容室の平板体裏面がわ突出丈よりもやや大きい縦寸法に設定した幕板枠を巡らして一体化してなる甲板に対し、２本の長脚柱同士を連結した横架板の中央にヌキ孔が貫され、同横架板一側壁で該ヌキ孔両がわ夫々に落し込み摺桟受けとなる桟掛けが刻設された一対の洋卓用Ｈ型脚を有し、互いの桟掛け同士が相対するよう対峙させたそれら洋卓用Ｈ型脚の横架板ヌキ孔間に、両洋卓用Ｈ型脚間隔規制用のヌキ板の両端長ほぞ部を夫々貫通、夫々外がわに露出した各長ほぞ部の込栓孔に鼻栓を離脱自在に楔留め連結した上、各横架板の対峙する各桟掛け間には、夫々落し込み摺桟の両端が嵌脱自在に嵌合されるようにした洋卓組脚が、その対応するＨ型脚の長脚柱上端木口夫々を、当該甲板平板体裏面に一体化した幕板枠四入り隅夫々に予め用意してある挿入部に嵌脱自在に嵌合、組み合わされた上、前記洋卓組脚に架け渡した両落し込み摺桟およびヌキ板上には、同洋卓組脚における洋卓用Ｈ型脚の２本の長脚柱だけが座卓用とする２本の短脚柱に置換されただけの構造で、それら洋卓組脚に架け渡した両落し込み摺桟およびヌキ板上に載置可能な寸法、形状に規制してなる一対の座卓用Ｈ型脚が、平面配置でＨ形となる水平状配置で予め格納されてなるものとしたことを特徴とする洋座兼用食卓。
【請求項２】
平板体の表面中央を開口し、電磁調理器落し込み設置用であり、同開口箇所を隠蔽可能とする落し蓋が着脱自在に装着された収容室を設け、同平板体の裏面外周縁辺りに、同収容室の平板体裏面がわ突出丈よりもやや大きい縦寸法に設定されると共に、幕板枠の中の少なくとも一組の相対する幕板であって当該平板体裏面に直接当接する上端縁がわに、落し蓋片面を平板体裏面に当接状にした出し入れが可能で、補助テーブルとなるよう片持ち支持可能とするスライド収納口を形成してなる甲板に対し、２本の長脚柱同士を連結した横架板の中央にヌキ孔が貫され、同横架板一側壁で該ヌキ孔両がわ夫々に落し込み摺桟受けとなる桟掛けが刻設された一対の洋卓用Ｈ型脚を有し、互いの桟掛け同士が相対するよう対峙させたそれら洋卓用Ｈ型脚の横架板ヌキ孔間に、両洋卓用Ｈ型脚間隔規制用のヌキ板の両端長ほぞ部を夫々貫通、夫々外がわに露出した各長ほぞ部の込栓孔に鼻栓を離脱自在に楔留め連結した上、各横架板の対峙する各桟掛け間には、夫々落し込み摺桟の両端が嵌脱自在に嵌合されるようにした洋卓組脚が、その対応するＨ型脚の長脚柱上端木口夫々を、当該甲板平板体裏面に一体化した幕板枠四入り隅夫々に予め用意してある挿入部に嵌脱自在に嵌合、組み合わされた上、前記洋卓組脚に架け渡した両落し込み摺桟およびヌキ板上には、同洋卓組脚における洋卓用Ｈ型脚の２本の長脚柱だけが座卓用とする２本の短脚柱に置換されただけの構造で、それら洋卓組脚に架け渡した両落し込み摺桟およびヌキ板上に載置可能な寸法、形状に規制してなる一対の座卓用Ｈ型脚が、平面配置でＨ形となる水平状配置で予め格納されてなるものとしたことを特徴とする洋座兼用食卓。
【請求項３】
各落し込み摺桟の上面中央には、座卓組脚から分解した一対の座卓用Ｈ型脚夫々の水平状配置での嵌合状にした載置が可能な凹欠状支持部を、洋卓組脚のヌキ板上面高さに一致するよう形成してなるものとした、請求項１記載または２何れか一項記載の洋座兼用食卓。
【考案の詳細な説明】
【技術分野】
【０００１】
この考案は、電磁調理器を甲板に埋設してなる食卓に関するものであり、洋卓と座卓とに変形可能な食卓を製造する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                                              
【背景技術】
【０００２】
（着目点）
甲板の中央にガスコンロ、炭火コンロ、各種ロースター、ＩＨヒーターなどの何れかの加熱調理器が埋設された調理器一体型のテーブルは、甲板上に置いたカセットボンベ式の卓上コンロ上に鍋や鉄板などを載せた場合に比べ、甲板上に高くならず、安定して安全であると共に、食卓上がスッキリして楽に食事を摂ることができるなどの理由から、鍋料理や焼き肉、焼き魚、天ぷら、お好み焼き、もんじゃ焼き、たこ焼きなどの各種専門店やレストランなどにおいて広く利用されており、最近では、その使い勝手の良さを知る一般家庭のニーズも高まりを見せるようになっている。
【０００３】
ところが、我が国の一般的な住宅は、その多くが、畳や襖のある和室とフローリングやドアのある洋室とを混在させた和洋折衷形式のものとなっており、あるときには洋室を利用して焼き肉をしたり、またあるときには和室で鍋料理を楽しんだりと、様々な利用が可能な食卓テーブルへのニーズが高いという現状にありながら、洋卓と座卓との双方を兼ねた調理器付きの食卓は、未だ存在しないという実態がある。
【０００４】
（従来の技術）
そうした事情を考慮して、例えば、後記する特許文献１（１）に掲載されている考案のように、甲板と、この甲板に対して着脱自在に組付けられる２個以上の脚部材とにより構成される卓とし、該卓を構成する脚部材を、長尺状脚部と短尺状脚部とが連設された側面Ｌ字状のものとした上、前記甲板に対して該脚部材の前記長尺状脚部および短尺状脚部を選択的に組付け可能にしてなるものとし、該脚部材の長尺状脚部を脚部として組み込むことによってダイニングテーブルとして利用可能となり、同短尺状脚部を脚部として組み込むことによって座卓としての利用を可能とした「卓」などや、同特許文献１（２）に示されている「堀こたつの座卓」発明に見られるとおりの、甲板裏面の支持脚間に取り付けられた左右の側板の対向面に、それぞれ断面コ字形のガイドレールなどの補助テーブルの案内具を取り付け、甲板の裏面に引き出し可能に補助テーブルが収納できるようにしたことにより、座卓の外観や通常の取扱性を損なうことなく、補助テーブルがその一側から突出し、座卓上面の面積を状況に応じて自由に変更できるようにしたものなどが散見される。
【０００５】
しかし、前者特許文献１（１）に示されているような長尺状脚部と短尺状脚部とが連設された側面Ｌ字状の脚部材を、甲板平板体裏面に組み込むようにしたものなどは、甲板中央に埋設状に組み込んだ加熱調理器の底面付近に脚部材の連結部分が重なるよう装着しなければならず、通気性や放熱性の面から、加熱料理器内蔵食卓への応用は殆ど不可能であるという致命的な欠点を有しており、また、後者の特許文献１（２）に代表されるような補助テーブルを有する座卓などは、甲板中央に加熱調理器が埋設状に収められた食卓にも組み込み可能であるということはできるものの、この補助テーブルそれ自体は、正に補助テーブル以外の用途への利用は全く不可能であり、それ以上の利用価値を生むものとはなり得なかった。                                                                              
【特許文献１】（１）実開平７−３６７６１号公報    （２）特開平７−１６７４３９号公報
【考案の開示】
【考案が解決しようとする課題】
【０００６】
（問題意識）
上述したとおり、ダイニングテーブルと座卓とに共用できるようにした従前までに提案されているこの種の卓などでは、甲板中央に加熱調理器を埋設、配置すること自体に構造、機能上で課題を残すものであったし、その他、従前までの補助テーブル付きのものを利用するなどして加熱調理器を埋設、配置した場合、それらの組み込みには支障がないにしても、更に機能を付加するには構造上の無理があるなどといった問題があるなど、我が国のそれほど広くない和洋折衷式住宅の部屋の状況に合わせて随時適用可能であり、直接加熱調理しながらの食事が楽しめる我が国古来からの風習に巧く呼応できるようにした食卓として、未だ実用的な利用価値を考慮したものが提案されてきていないことに疑問を抱いてきた。
【０００７】
（考案の目的）
そこで、この考案は、中央に加熱調理器が埋設可能な甲板を有し、洋室や和室の別、利用人数などといった様々な利用条件に応じ、柔軟に洋卓から座卓、または座卓から洋卓へと簡単且つ安全に変形可能とする新たな食卓の開発はできないものかとの判断から、逸速くその開発、研究に着手し、長期に渡る試行錯誤と幾多の試作、実験とを繰り返してきた結果、今回、遂に新規な構造の洋座兼用食卓を実現化することに成功したものであり、以下において、図面に示すこの考案を代表する実施例と共に、その構成を詳述することとする。                                                                                          
【課題を解決するための手段】
【０００８】
（考案の構成）
図面に示すこの考案を代表する実施例からも明確に理解されるように、この考案の洋座兼用食卓は、基本的に次のような構成から成り立っている。
即ち、平板体の表面中央を開口し、電磁調理器落し込み設置用であり、同開口箇所を隠蔽可能とする落し蓋が着脱自在に装着された収容室を設け、同平板体の裏面外周縁辺りに、同収容室の平板体裏面がわ突出丈よりもやや大きい縦寸法に設定した幕板枠を巡らして一体化してなる甲板に対し、２本の長脚柱同士を連結した横架板の中央にヌキ孔が貫され、同横架板一側壁で該ヌキ孔両がわ夫々に落し込み摺桟受けとなる桟掛けが刻設された一対の洋卓用Ｈ型脚を有し、互いの桟掛け同士が相対するよう対峙させたそれら洋卓用Ｈ型脚の横架板ヌキ孔間に、両洋卓用Ｈ型脚間隔規制用のヌキ板の両端長ほぞ部を夫々貫通、夫々外がわに露出した各長ほぞ部の込栓孔に鼻栓を離脱自在に楔留め連結した上、各横架板の対峙する各桟掛け間には、夫々落し込み摺桟の両端が嵌脱自在に嵌合されるようにした洋卓組脚が、その対応するＨ型脚の長脚柱上端木口夫々を、当該甲板平板体裏面に一体化した幕板枠四入り隅夫々に予め用意してある挿入部に嵌脱自在に嵌合、組み合わされた上、前記洋卓組脚に架け渡した両落し込み摺桟およびヌキ板上には、同洋卓組脚における洋卓用Ｈ型脚の２本の長脚柱だけが座卓用とする２本の短脚柱に置換されただけの構造で、それら洋卓組脚に架け渡した両落し込み摺桟およびヌキ板上に載置可能な寸法、形状に規制してなる一対の座卓用Ｈ型脚が、平面配置でＨ形となる水平状配置で予め格納されてなるものとした構成を要旨とする洋座兼用食卓である。
【０００９】
この基本的な構成からなる洋座兼用食卓を、より具体的なものとして示すと、板体の表面中央を開口し、電磁調理器落し込み設置用であり、同開口箇所を隠蔽可能とする落し蓋が着脱自在に装着された収容室を設け、同平板体の裏面外周縁辺りに、同収容室の平板体裏面がわ突出丈よりもやや大きい縦寸法に設定されると共に、幕板枠の中の少なくとも一組の相対する幕板であって当該平板体裏面に直接当接する上端縁がわに、落し蓋片面を平板体裏面に当接状にした出し入れが可能で、補助テーブルとなるよう片持ち支持可能とするスライド収納口を形成してなる甲板に対し、２本の長脚柱同士を連結した横架板の中央にヌキ孔が貫され、同横架板一側壁で該ヌキ孔両がわ夫々に落し込み摺桟受けとなる桟掛けが刻設された一対の洋卓用Ｈ型脚を有し、互いの桟掛け同士が相対するよう対峙させたそれら洋卓用Ｈ型脚の横架板ヌキ孔間に、両洋卓用Ｈ型脚間隔規制用のヌキ板の両端長ほぞ部を夫々貫通、夫々外がわに露出した各長ほぞ部の込栓孔に鼻栓を離脱自在に楔留め連結した上、各横架板の対峙する各桟掛け間には、夫々落し込み摺桟の両端が嵌脱自在に嵌合されるようにした洋卓組脚が、その対応するＨ型脚の長脚柱上端木口夫々を、当該甲板平板体裏面に一体化した幕板枠四入り隅夫々に予め用意してある挿入部に嵌脱自在に嵌合、組み合わされた上、前記洋卓組脚に架け渡した両落し込み摺桟およびヌキ板上には、同洋卓組脚における洋卓用Ｈ型脚の２本の長脚柱だけが座卓用とする２本の短脚柱に置換されただけの構造で、それら洋卓組脚に架け渡した両落し込み摺桟およびヌキ板上に載置可能な寸法、形状に規制してなる一対の座卓用Ｈ型脚が、平面配置でＨ形となる水平状配置で予め格納されてなるものとした構成からなる洋座兼用食卓となる。                                                        
【考案の効果】
【００１０】
以上のとおり、この考案固有の構造からなる洋座兼用食卓によれば、従前までのダイニングテーブルから座卓へと変形可能な卓などの構造が、甲板中央に加熱調理器が埋設され食卓とする場合に、甲板裏面の脚部連結部分が、同加熱調理器の底面に干渉してしまう虞があり、加熱調理器の放熱や通気性の確保を困難にしてしまうなどの欠点を有していたものが、上記したこの考案の構成により、甲板中央に埋設状とした電磁調理器に干渉したり重なり合うこと無く、洋卓組脚または座卓組脚の何れか自由に選択された一方を組み込み、洋卓から座卓、座卓から洋卓へと自在に変形可能な上、収容室に落し込み構造によって収容、組み合わせた電磁調理器を安全、簡便に利用できるようにすると共に、ダイニングキッチンにおける洋間などでは、当該甲板平板体裏面に洋卓組脚を組み込み、洋卓として利用して、お鍋料理等をテーブルの上で直に楽しむようにする一方、お客を迎えてお座敷で同じくお鍋料理でもてなす場合等には、予め甲板における平板体下方で洋卓組脚の両落し込み摺桟および中央のヌキ板上に組み合わせ、収納してある座卓組脚の一対の座卓用Ｈ型脚を手際良く取り出した上、それまでの洋卓組脚を甲板から取り外すと共に、それ用としていた両落し込み摺桟、中央のヌキ板も分解し、取り出した先の一対の座卓用Ｈ型脚間に兼用して組み立て、甲板に組み込むだけで簡単、迅速に座卓に変身させて手軽に利用することができるという効果を発揮するものとなる。
【００１１】
また、甲板平板体裏面に直接当接、一体化してある当該幕板枠における対峙する幕板の上端から切り欠き、落し蓋片面を平板体裏面に当接状にした出し入れが可能で、補助テーブルとなるよう片持ち支持可能とするようにしたスライド収納口には、電磁調理器収容室の施蓋用および補助テーブル兼用となる落し蓋が、電磁調理器を利用するときに不要となる落し蓋を邪魔にならぬよう平板体直下で、状況に応じて選択できるようにした適所がわのそれに安全に収納することができる上、同落し蓋の外向きとなるがわの端部を平板体下より外がわに引き出し状に操作し、これとは反対がわがスライド収納口と甲板平板体裏面とによって片持ち支持された状態の、この食卓に付属する補助テーブルとして有効、利用することができるという秀れた効果を奏するものとなる。
【００１２】
加えて、各落し込み摺桟の上面中央には、座卓組脚から分解した一対の座卓用Ｈ型脚、夫々の嵌合状載置が可能な凹欠状支持部を、洋卓組脚のヌキ板上面高さに一致するよう形成するようにしたものでは、洋卓組脚に対して一対の座卓用Ｈ型脚を、一層安定な状態に搭載、収納することができ、日常的な取り扱いに対して十二分な安全までをも考慮実用性に富んだ食卓とすることができる。                                                                                
【考案を実施するための最良の形態】
【００１３】
上記したとおりの構成からなるこの考案の実施に際し、その最良もしくは望ましい形態について説明を加えることにする。
甲板は、その平板体の下部に洋卓組脚または座卓組脚の中、任意選択された何れか一方が組み込まれて所定高さに水平支持するようにした食卓用天板部分を形成すると共に、その平板体平面形中央には、電磁調理器を埋設状に収容可能とする収容室を支持する機能を果たし、後述する実施例に示すように、平板体の表面中央に電磁調理器落し込み用であって、しかも収納された電磁調理器上に落し蓋が着脱自在に装着可能な収容室を開口したものにすると共に、同平板体の裏面外周縁辺りに、先の収容室の丈寸法よりも幾分下方位にまで達する所定縦寸法の幕板を平断面形矩形枠状に組み合わせた幕板枠を取着、一体化してなるものとしなければならず、平面形は、食卓としての用を果たし得る形状であれば特に限定されず、円形、長円形、楕円形、正方形、菱形状、台形といった一般に採用される形状のものから、大木を輪切りにしたときに表れる木口断面のような不定形のものまで、適宜採用可能である。
【００１４】
電磁調理器落し込み用の収容室は、電磁調理器を、その天面が甲板平板体の表面から所定寸法だけ下がった位置に安定且つ安全に設置可能とする機能を果たし、電磁調理器の平面外郭形状より僅かに大きな寸法、形状に平板体平面中央を開口して下方に掘り炬燵のような構造のものとして形成するようにし、電磁調理器の円滑な落し込み式の装着が可能なものとしなければならず、必要に応じて適所に冷却空気用の吸排気口や電力配線コードの引き出し口などを形成したものとすべきである。
【００１５】
落し蓋は、電磁調理器不使用のときに同電磁調理器を収容したまま収容室の天面開口を開閉自在に閉鎖可能として、甲板表面と略面一状に施蓋可能とする機能を果たすものであり、該収容室の天面平板体開口の略全面を閉鎖可能な形状、寸法に設定されたものとしなければならず、後述する実施例に示すように、補助テーブルとしても利用可能な程度の充分な強度と、寸法、形状とに設定したものとするのが望ましく、少なくとも上面が、甲板表面と同一か、または同質かの何れかの素材からなるものとしたり、あるいは甲板表面に調和する特徴的な色彩を施すなど、形状、色彩、模様など甲板の外観を一段と高めるよう設定されたものとするのがよい。
【００１６】
幕板枠は、甲板の平板体をその裏面がわから補強すると共に、洋卓組脚または座卓組脚の何れか任意に選択した一方の各脚柱上木口を、平板体裏面がわで、当該甲板を水平状に安定して支持し得るよう予め設定した箇所が夫々幕板枠の四入り隅となるようにして形成してある、それら四入り隅で対応する嵌合部に嵌脱自在に装着するようにし、各Ｈ型脚を甲板に連結する機能を果たすものであり、充分な強度および精度を有して甲板平板体裏面に結合、一体化されたものとしなければならず、甲板平板体裏面との接合縁に当該落し蓋が補助テーブルとなるよう片持ち支持可能、且つ、完全収納可能なスライド収納口を形成したものとすることが可能であり、当該甲板平板体裏面の該スライド収納口より中央寄りとなる適所であって、該落し蓋（収納方向に対する）左右縁、対応箇所に夫々、案内用のレールを装着したものとすることができる。
【００１７】
洋卓組脚は、甲板を洋卓に適した高さ位置に水平且つ安定状態に支持可能とし、各脚柱間の適正高さ位置に座卓組脚用となる一対の座卓用Ｈ型脚が、横倒し姿勢状態に安定的に収納可能とする機能を果たすものであり、洋卓用Ｈ型脚、横架板ヌキ孔間に、両洋卓用Ｈ型脚間隔規制可能なヌキ板の両端長ほぞ部を夫々貫通し、外がわに露出した各長ほぞ部の込栓孔に鼻栓にて離脱自在に楔留め連結した上、各横架板の対峙する各桟掛け同士間には、夫々両落し込み摺桟の両端が嵌脱自在に嵌合してなるものとしなければならない。
【００１８】
洋卓用Ｈ型脚は、その同一構造による物同士、一対の組合せによって洋卓組脚を構成する最小単位として機能するものであり、洋卓用となる２本の長脚柱が横架板を介して連結、一体化するようにしたものとし、その２本の長脚柱を所定間隔に併置する機能を果たしている横架板の中央には、ヌキ板の長ほぞ部が挿抜自在に装着可能なヌキ孔を貫通し、同横架板一側壁の該ヌキ孔両がわ夫々に、落し込み摺桟の端部を嵌脱自在に嵌合可能な桟掛けを刻設したものとしなければならない。
【００１９】
ヌキ板は、甲板平板体裏面であって平断面形矩形枠状とした幕板枠四入り隅の夫々に、洋卓組脚か、座卓組脚かの何れか一方の対応するＨ型脚上木口夫々が嵌合するようにした上、一対の洋卓用Ｈ型脚同士間の距離（または一対の座卓用Ｈ型脚同士間の距離）を強固に規制可能とするよう、洋卓用Ｈ型脚同士と座卓用Ｈ型脚同士とに兼用されて、両Ｈ型脚同士間を連結、一体化可能とし、且つ前記洋卓組脚に組み込まれた場合には、隣接配置するよう組み込まれた２枚の落し込み摺桟と共に、横倒し姿勢とした一対の座卓用Ｈ型脚を載置、収納可能とする機能を果たし、両洋卓用Ｈ型脚同士、または両座卓用Ｈ型脚同士を充分な強度をもって連結可能なものとし、それらの両端には、対応する横架板中央のヌキ孔に挿抜自在に貫通可能な長ほぞ部が、その中途適所に一箇所または複数箇所の何れかに鼻栓嵌入用の込栓孔を穿設したものとして形成する。
【００２０】
落し込み摺桟は、その２枚が洋卓組脚に組み込まれて前記ヌキ板と共に、一対の洋卓用Ｈ型脚同士間の離間距離を強固に規制可能とするよう突っ張り且つ支持可能とし、当該ヌキ板と共に、Ｈ型が平面に表れる横倒し姿勢とした一対の座卓用Ｈ型脚を安定載置、収納可能とする機能を果たし、各座卓用Ｈ型脚、横架板の対峙する各桟掛け同士間夫々に、両端を嵌脱自在に嵌合して組み込まれたものとしなければならず、必要に応じて後述する実施例に示すように、その上面中央に、座卓組脚から分解した一対の座卓用Ｈ型脚夫々の嵌合状載置が可能な凹欠状支持部を、洋卓組脚のヌキ板上面高さに一致するよう形成してなるものとすることが可能である。
【００２１】
座卓組脚は、甲板を座卓に適した高さ位置に水平且つ安定状態に支持可能とする機能を果たすものであり、一対の座卓用Ｈ型脚、横架板ヌキ孔間に、前記洋卓組脚から分解した（両座卓用Ｈ型脚間隔規制可能な）ヌキ板の両端長ほぞ部を夫々貫通し、外がわに露出させた各長ほぞ部の込栓孔に鼻栓にて離脱自在に楔留め連結してなるものとしなければならない。
【００２２】
座卓用Ｈ型脚は、同一構造に形成した物同士一対の組み合わせによって座卓組脚を形成可能とする機能を果たすものであり、座卓用となる２本の短脚柱同士が横架板を介して連結、一体化されたものとし、その横架板の中央に、ヌキ板の長ほぞ部が挿抜自在に装着可能なヌキ孔を貫通したものとしなければならない。
【００２３】
電磁調理器は、甲板の平板体表面に開口した収容室に落し込み式に収納可能とするものであり、外部電力の供給を受け、電磁誘導加熱の原理によって鍋や鉄板などを加熱可能とする機能を果たすものであり、操作パネルが甲板外周縁直下付近に配置されたものとすることができるが、後述する実施例中にて図示すように、操作スイッチ類を天面適所に配したものを採用することが可能であり、メンテナンスや清掃作業性などを考慮すると、収容室から容易に取り出し可能なものとするのが望ましい。
【００２４】
当該洋座兼用食卓は、電磁調理器を除く主要部品類の殆ど全てが、天然木、集成材、突板合板、合成樹脂化粧板、金属板成型品などの各種素材からなるものとすることが可能であり、特に和室向けに高級感を醸し出すと共に、構造強度を期待して長年亘る使用を可能にするため、欅材によるものとするのが望ましい。
以下では、図面に示すこの考案を代表する実施例と共に、その構造について詳述することとする。                                                                                                            
【実施例１】
【００２５】
図１の分解された洋座兼用食卓の斜視図、図２組み立てられた洋座兼用食卓の斜視図、図３の分解された洋卓組脚の斜視図、図４の収納する座卓用Ｈ型脚および落し蓋の下面図、図５の収納された座卓用Ｈ型脚の下面図、図６の補助テーブルとなる落し蓋の側面図、図７の収納された落し蓋の下面図、および図８の組み立てられた座卓組脚の斜視図に示す事例は、平板体１の表面１０中央に電磁調理器Ｈ落し込み用の収容室１２を開口し、同裏面１１に平断面形矩形枠状の幕板枠３を垂下してなる平板体１を設けると共に、長脚柱５０，５０の２本とヌキ孔５３およびそれを挟む桟掛け５４，５４を形成した横架板５２とからなる一対の洋卓用Ｈ型脚５，５を有し、対峙させたそれら洋卓用Ｈ型脚５，５、横架板５２ヌキ孔５３間に、ヌキ板６両端長ほぞ部６０，６０を貫通、各長ほぞ部６０，６０の込栓孔６１，６１，……に鼻栓６２，６２，……にて楔留めし、各桟掛け５４，５４，……間に落し込み摺桟７，７を嵌合してなる洋卓組脚４、および、短脚柱９０，９０の２本とヌキ孔９３を形成した横架板９２とからなる一対の座卓用Ｈ型脚９，９を有し、対峙させたそれら、横架板９，９ヌキ孔９３，９３間に、前記洋卓組脚４から分解したヌキ板６両端長ほぞ部６０，６０を貫通し、各長ほぞ部６０，６０の込栓孔６１，６１，……に鼻栓６２，６２，……にて楔留めしてなる座卓組脚８を設けた上、当該甲板の平板体１裏面１１、幕板枠３四隅の夫々に、前記洋卓組脚４か、座卓組脚８かの何れか一方の対応するＨ型脚５，５（９，９）の上木口夫々が嵌合、組み合わせ可能としてなるものとした、この考案の洋座兼用食卓における代表的な一実施例を示すものである。
【００２６】
それら各図からも明確に把握できるとおり、この考案の洋座兼用食卓は、欅天然木無垢材製、平面長方形状の平板体１の表面１０中央に、装備する電磁調理器Ｈの外郭寸法より僅かに大きな内がわ寸法に設定した収容室１２を平面矩形状に開口し、その底部付近には電磁調理器Ｈ電源コード用の引き出し孔や放熱口（何れも図示せず）などを形成し、該収容室１２天面開口には、同開口内寸より僅かに小さな矩形平板状であって、中央または外周縁付近適所の何れか一箇所に取り外し操作用の小孔または僅かな摘み部分を形成した、欅天然木板を組み合わせてなる落し蓋２が着脱自在に装着されたものとする。
該収容室１２は、平板体１の天然木板の厚みを利用して有底状に刳り抜き形成（図示せず）したものとすることができる外、一旦表面１０から裏面１１への貫通孔を穿孔した上、裏面１１開口に別体の底板、格子枠または天面開口有底箱など（何れも図示せず）を後付け、一体化したものとすることができる。
【００２７】
当該平板体１の裏面外周縁辺り１１に、先の収容室１２の丈寸法よりも幾分下方位にまで達する所定縦寸法の幕板を平断面形矩形枠状に組み合わせた所定上下寸法に設定した平断面形矩形枠状であって、４辺夫々の中央に相当する該裏面１１に当接する上端縁３０，３０，……に、該落し蓋２の縦断面形より僅かに大きな矩形状に設定したスライド収納口３１，３１，……が形成された幕板枠３を垂下、一体化したものとする。
該平板体１は、図６および図７中に示すように、平面長方形状の少なくとも短辺がわの幕板枠３スライド収納口３１，３１に装着した落し蓋２が、その全面を裏面１１下に収納、可能なものとしている。
【００２８】
そして、図１中に示す当該平板体１を支える洋卓組脚４および一対の座卓用Ｈ型脚９，９（座卓組脚８）もまた全ての部品が欅天然木製とし、当該洋座兼用食卓全体が総欅造りとなるように設定されたものとしており、図１および図３中に示すように、該洋卓組脚４は、一対の洋卓用Ｈ型脚５，５、１本のヌキ板６および２本の落し込み摺桟７，７の組み合わせからなり、洋卓用Ｈ型脚５は、上木口がわ外側壁の隣接する２面壁の、幕板枠３上下寸法に相当する部分に短ほぞ状段差からなる幕板嵌合用の片短ほぞ５１を設けた２本の長脚柱５０，５０と、それら長脚柱５０，５０の片短ほぞ５１，５１より僅かに下側となる所定高さ位置間に水平状に架け渡し結合した横架板５２とからなり、両長脚柱５０，５０同士が（幕板枠３短辺隅間に各片短ほぞ５１，５１が、正確に嵌合する距離を隔てて立設するよう）平行状姿勢に連結されたものとしている。
【００２９】
図３中に示すように、各横架板５２の両端間中央には、矩形状のヌキ孔５３を貫通状に穿設し、該ヌキ孔５３と両長脚柱５０，５０との間夫々に、矩形凹欠段差状の桟掛け５４，５４が刻設されたものとし、各桟掛け５４，５４が向き合うよう対峙させた一対の洋卓用Ｈ型脚５，５各横架板５２，５２のヌキ孔５３，５３には、それら長脚柱５０，５０，……、各片短ほぞ５１，５１，……が、図１中に示すように、対応する幕板枠３四隅に正確に嵌合するよう離間距離規制可能な寸法、形状に設定されたヌキ板６（図３中に示す）の両端、矩形板状長ほぞ部６０，６０を貫通状に差し込み、各横架板５２，５２より外がわに露出した各長ほぞ部６０，６０の２箇所ずつ板厚方向に穿孔された込栓孔６１，６１，……夫々に鼻栓６２，６２，……を貫通、楔状に打ち込み連結したものとした上、対峙する各桟掛け５４，５４には、各洋卓用Ｈ型脚５，５双方間の長脚柱５０，５０，……同士の離間距離を正確に維持するよう規制可能な寸法、形状に設定された矩形平板状に形成された上、その上面中央に、座卓組脚８から分解した一対の座卓用Ｈ型脚９，９、夫々の嵌合状載置が可能な凹欠状支持部７０が、該洋卓組脚４のヌキ板６上面高さに一致するよう刳り抜き形成されてなる２枚の落し込み摺桟７，７の各対応端を架け渡すよう嵌合装着してなるものとする。
【００３０】
また、座卓組脚８は、図８中に示すように、一対の座卓用Ｈ型脚９，９と前記洋卓組脚から分解したヌキ板６との組み合わせからなり、該座卓用Ｈ型脚９は、前記洋卓用Ｈ型脚５よりも短く、それ以外の太さや断面形状などは前記洋卓用Ｈ型脚５と同一に設定し、上木口がわ外側壁の隣接する２面壁の、幕板枠３上下寸法に相当する部分に短ほぞ状段差からなる幕板嵌合用の片短ほぞ９１を設けた２本の短脚柱９０，９０の、各片短ほぞ９１，９１より僅かに下側となる対峙面壁間に横架板９２を水平状に架け渡し結合してなり、それら横架板９２，９２、ヌキ孔９３，９３間に、前記洋卓組脚４から分解したヌキ板６の両端長ほぞ部６０，６０を貫通状に差し込み、各横架板９２，９２より外がわに露出した各長ほぞ部６０，６０、込栓孔６１，６１，……夫々に鼻栓６２，６２，……を貫通、楔状に打ち込み連結したものとである。
【００３１】
（実施例１の作用）
以上のとおりの構成からなるこの考案の洋座兼用食卓は、図１ないし図３中に示すように、洋卓として使用する場合には、一対の洋卓用Ｈ型脚５，５を、互いの横架板５２，５２、桟掛け５４，５４，……同士が向き合うよう対峙させると共に、同横架板５２，５２間に架け渡したヌキ板６の両端長ほぞ部６０，６０を対応するヌキ孔５３，５３に貫通状に差し込み、各横架板５２，５２より外がわに各長ほぞ部６０，６０、込栓孔６１，６１，……夫々を露出させた上、それら込栓孔６１，６１，……に鼻栓６２，６２，……を貫通、楔状に打ち込み連結した後、各横架板５２，５２の互いに対峙する桟掛け５４，５４，……に、架け渡し状とした２枚の落し込み摺桟７，７の各両端を夫々、落し込み状に嵌合して洋卓組脚４を組み立てたものとしてから、平板体１幕板枠３の４隅に該洋卓組脚４の各長脚柱５０，５０，……、片短ほぞ５１，５１，……が夫々、嵌合するよう組み合わせ、図２中に示すように、該平板体１が水平状に安定、支持されたものとする。
該洋卓組脚４のヌキ板６および２枚の落し込み摺桟７，７は、一対の洋卓用Ｈ型脚５，５同士の離間距離を、各長脚柱５０，５０，……の片短ほぞ５１，５１，……が、幕板枠３の４隅に正確に嵌合するよう位置決め規制可能とするものとなる。
【００３２】
このように洋卓として使用する場合、不要となる一対の座卓用Ｈ型脚９，９は、図２、図４、図５中の斜線部分、および図６中に示すように、洋卓組脚４のヌキ板６と、その両側に配置された２枚の落し込み摺桟７，７凹欠状支持部７０，７０とに、夫々横倒し姿勢に架け渡し、嵌合装着状に搭載して収納することが可能である。
【００３３】
そして、図１中に示すように、平板体１表面１０に開口する収容室１２には、収納し、該電磁調理器Ｈ上に電磁誘導加熱可能な鍋や鉄板などを載せるなどして加熱調理しながら食事を摂ることができ、通状のテーブルとして使用する場合には収納状態にある電磁調理器Ｈ上に落し蓋２を落し込み装着して施蓋することが可能であり、また、電磁調理器Ｈを利用するときに置き場所に困る落し蓋２は、図１中の二点鎖線矢印、および図４、図６および図７中に示すように、平面長方形状の平板体１の短辺がわとなる幕板枠３双方のスライド収納口３１，３１の何れか一方に差込み状として、図７中の斜線部分に示すよう完全に平板体１下に収納してしまうことが可能な外、図６中の左がわに二点鎖線で示す落し蓋２のように、スライド収納口３１と平板体１裏面１１とによる片持ち支持状態を維持したまま、外向き端がわを平板体１外周縁より外がわに引き出すように操作すると、落し蓋２が補助テーブルとして利用可能なものとなる。
【００３４】
また、図１中に示すように、該落し蓋２は、平板体１の長辺がわとなる幕板枠３のスライド収納口３１，３１にも、スライド可能に装着（図示せず）可能であって、合計４箇所の各スライド収納口３１，３１，……に差し込み装着可能なものとなっており、収容室１２施蓋用の落し蓋２に加え、補助テーブル用として１ないし３枚（合計４枚）までの同一寸法、形状の落し蓋２を装備したものとすることが可能である。
【００３５】
さらに、この考案の洋座兼用食卓を座卓として使用する場合には、図１中に示すように、洋卓組脚４のヌキ板６および落し込み摺桟７，７上に搭載、収納されている一対の座卓用Ｈ型脚９を取り出すと共に、平板体１を持ち上げるようにして洋卓組脚４上端から分離させた上、図３中に示すように、洋卓組脚４ヌキ板６の各込栓孔６１，６１，……から鼻栓６２，６２，……を抜き取り、洋卓用Ｈ型脚５，５の連結を解いた後、該洋卓組脚４の分解によって取り出されたヌキ板６の両端長ほぞ部６０，６０を、図８中に示すように、一対の座卓用Ｈ型脚９，９、横架板９２，９２の各ヌキ孔９３，９３に貫通状に差し込み、各横架板５２，５２より外がわに露出した込栓孔６１，６１，……に鼻栓６２，６２，……を楔状に打ち込み連結し、座卓組脚８を組み立てたものとしてから、当該平板体１幕板枠３の四隅に該座卓組脚８の各短脚柱９０，９０，……、片短ほぞ９１，９１，……が、夫々嵌合するよう（組み立て状態は図示していない）組み合わせ、該平板体１が水平状に安定、支持されたものとする。
【００３６】
（実施例１の効果）
以上のような構成からなる実施例１の洋座兼用食卓は、前記この考案の効果の項で記載の特徴に加え、天然杢無垢材による総欅造りとしたことによって重厚且つ高級感のある外観をもち、洋室にも和室にも栄える洋卓ならびに座卓とすることが可能となり、しかも従来型のコンロやロースターなどよりも安全な電磁調理器Ｈを組み込んだものとすることによって一段と高い付加価値を与えることができる。
また、平断面形矩形環状の幕板枠３の四辺全てにスライド収納口３１，３１を形成し、２枚以上の落し蓋２，２，……を装備したものとすることにより、１枚のみ装備した場合に比較して、より多くの利用者が補助テーブルを利用できるようになるという利点が得られる。
【００３７】
（結  び）
叙述の如く、この考案の洋座兼用食卓は、その新規な構成によって所期の目的を遍く達成可能とするものであり、しかも製造も容易で、従前からのこの種卓類などに比較し、より安全且つ経済的に電磁調理器を組み込むことができると共に、独自の洋卓組脚および座卓組脚によって強度を大幅に高めることができる上、一部の部品を共通化して部品点数を削減、低廉化して遥かに経済的なものとし、洋卓から座卓へ、また、座卓から洋卓への変形作業も効率的な上に、分解部品の収納も可能なことから、これまで顧客の注文毎に応じて多大な労力を費やし、洋室や和室用の食卓を運搬、設置しなければならなかった外食業界はもとより、什器業界および食卓の充実を臨む一般家庭や、そうした顧客の新たなニーズに応えようとする家具、家電、百貨店業界などにおいても高く評価され、広範に渡って利用、普及していくものになると予想される。                                                                                          
【図面の簡単な説明】
【００３８】
図面は、この考案の洋座兼用食卓の技術的思想を具現化した代表的な幾つかの実施例を示すものである。
【図１】分解状態の洋座兼用食卓を示す斜視図である。
【図２】洋卓に組み立てた洋座兼用食卓を示す斜視図である。
【図３】分解状態の洋卓組脚を示す斜視図である。
【図４】座卓用Ｈ型脚を収納する洋座兼用食卓を示す下面図である。
【図５】座卓用Ｈ型脚を収納した洋座兼用食卓を示す下面図である。
【図６】落し蓋を装着する洋座兼用食卓を示す側面図である。
【図７】落し蓋を収納した洋座兼用食卓を示す下面図である。
【図８】組立状態の座卓組脚を示す斜視図である。
【符号の説明】
【００３９】
１      平板体
１０    同  表面
１１    同  裏面
１２    収容室
２      落し蓋
３      幕板枠
３０    同  上端縁
３１    同  スライド収納口
４      洋卓組脚
５      洋卓用Ｈ型脚
５０    同  長脚柱
５１    同  片短ほぞ
５２    同  横架板
５３    同  ヌキ孔
５４    同  桟掛け
６      ヌキ板
６０    同  長ほぞ部
６１    同  込栓孔
６２    同  鼻栓
７      落し込み摺桟
７０    同  凹欠状支持部
８      座卓組脚
９      座卓用Ｈ型脚
９０    同  短脚柱
９１    同  片短ほぞ
９２    同  横架板
９３    同  ヌキ孔
Ｈ      電磁調理器                                                                                              
【図１】
0003142912.tif 000003
【図２】
0003142912.tif 000004
【図３】
0003142912.tif 000005
【図４】
0003142912.tif 000006
【図５】
0003142912.tif 000007
【図６】
0003142912.tif 000008
【図７】
0003142912.tif 000009
【図８】
0003142912.tif 000010